(57)【要約】  キャビティを有するハンドルと、レザーカートリッジホルダに取り付けられたレザーカートリッジと、髭剃り補助体とを含むレザーアセンブリを提供する。レザーカートリッジホルダは、ハンドルのキャビティ内で摺動可能に受けられる。髭剃り補助体は、ハンドルに取り付けられ、接触面と、接触面に配置され、レザーカートリッジを受ける大きさの開口とを含む。いくつかの実施の形態において、一つ又はそれ以上のバイアス部材が、ハンドル及びレザーカートリッジホルダの間で作用する。
2006500981.tif 000002
【特許請求の範囲】
【請求項１】
一つ又はそれ以上のレザーブレードを有するレザーカートリッジを含むレザーアセンブリであって、前記レザーアセンブリは、
ハンドルと、
前記レザーカートリッジが選択的に取り付けられるレザーカートリッジホルダと、
前記ハンドル又は前記レザーカートリッジホルダの一方又は両方に取り付けられ、前記ハンドル及び前記レザーカートリッジホルダの間の相対的な動きをガイドする一つ又はそれ以上のガイド部材と、
前記ハンドル又は前記レザーカートリッジホルダの一方又は両方に取り付けられ、前記ハンドル又は前記レザーカートリッジホルダの相手方に対して作用する一つ又はそれ以上のバイアス部材であって、前記一つ又はそれ以上のバイアス部材は、前記レザーカートリッジホルダ及び前記ハンドルの間の相対的な動きを選択的に防止するために前記ハンドル又は前記レザーカートリッジの相手方に対する十分な摩擦力を与えるバイアス部材と、
前記ハンドルに取り付けられ、前記レザーカートリッジを受ける大きさの開口を有する髭剃り補助体と、
を有するレザーアセンブリ。
【請求項２】
前記一つ又はそれ以上のガイド部材は、前記ハンドルに取り付けられた少なくとも一つのガイド部材と、前記レザーカートリッジホルダに取り付けられた少なくとも一つのガイド部材とを含み、前記ガイド部材が、互いに係合する前記ハンドル及び前記レザーカートリッジホルダに取り付けられた請求項１記載のレザーアセンブリ。
【請求項３】
前記レザーカートリッジホルダに取り付けられた少なくとも一つのガイド部材は、前記レザーカートリッジホルダの上パネルに取り付けられた複数のガイドパネルを有する請求項２記載のレザーアセンブリ。
【請求項４】
前記ハンドルに取り付けられた前記少なくとも一つのガイド部材は、前記ハンドルに取り付けられた複数の内パネルを有し、前記内パネル及び前記ガイドパネルが互いに係合する請求項３記載のレザーアセンブリ。
【請求項５】
前記一つ又はそれ以上のバイアス部材が前記レザーカートリッジホルダに取り付けられ、前記ハンドルに取り付けられた一つ又はそれ以上の外パネルに対して作用する請求項４記載のレザーアセンブリ。
【請求項６】
前記バイアス部材は、前記レザーカートリッジホルダの前記上パネルから張り出す請求項５記載のレザーアセンブリ。
【請求項７】
前記レザーカートリッジホルダ及び前記ハンドルの間に相対的な動きを生み出すように選択的に動作するアクチュエータをさらに有する請求項６記載のレザーアセンブリ。
【請求項８】
前記アクチュエータは、ステムと、前記ステムの第１端部に取り付けられたパッドと、前記ステムの第２端部に取り付けられた一つ又はそれ以上のタブと、前記パッド及び前記ハンドルの間で作用するスプリングとを有し、前記アクチュエータが前記ハンドルに搭載され、前記レザーカートリッジホルダと位置合わせされ、前記アクチュエータはオペレータが前記ハンドルに関して前記レザーカートリッジホルダを動かすことを可能にする請求項７記載のレザーアセンブリ。
【請求項９】
前記ハンドルは、前記オペレータの手の指を受けるために十分な大きさの開口を含み、前記アクチュエータは前記開口内に配置される請求項８記載のレザーアセンブリ。
【請求項１０】
前記レザーカートリッジホルダ及び前記ハンドルの間に相対的な動きを生み出すように選択的に動作可能なアクチュエータをさらに有する請求項１記載のレザーアセンブリ。
【請求項１１】
前記アクチュエータは、ステムと、前記ステムの第１端部に取り付けられたパッドと、前記ステムの第２端部に取り付けられた一つ又はそれ以上のタブと、前記パッド及び前記ハンドル間で作用するスプリングとを有し、前記アクチュエータが前記ハンドルに搭載され、前記レザーカートリッジホルダと位置合わせされ、前記アクチュエータはオペレータが前記ハンドルに関して前記レザーカートリッジホルダを動かすことを可能にする請求項１０記載のレザーアセンブリ。
【請求項１２】
前記ハンドルは、前記オペレータの手の指を受けるために十分な大きさの開口を含み、前記アクチュエータは前記開口内に配置される請求項１１記載のレザーアセンブリ。
【請求項１３】
キャビティを有するハンドルと、
前記キャビティ内で摺動可能に受けられるレザーカートリッジホルダに取り付けられたレザーカートリッジと、
前記ハンドルに取り付けられ、接触面と、前記接触面に配置され、前記レザーカートリッジを受ける大きさの開口とを含む髭剃り補助体と、
前記ハンドル及び前記レザーカートリッジホルダの間で作用する一つ又はそれ以上のバイアス部材であって、前記一つ又はそれ以上のバイアス部材は前記レザーカートリッジホルダ及び前記ハンドルの間の相対的な動きを選択的に防止するために十分な力を提供するバイアス部材と、
を有するレザーアセンブリ。
【請求項１４】
前記ハンドルは、前記ハンドルの外表面及び前記キャビティの間に延在する開口を含み、前記開口はオペレータが前記開口内に一つ又はそれ以上の指を挿入し得るような大きさである請求項１３記載のレザーアセンブリ。
【請求項１５】
前記開口内に配置されたアクチュエータをさらに有する請求項１４記載のレザーアセンブリ。
【請求項１６】
前記レザーカートリッジホルダ及びそれに取り付けられたレザーカートリッジは、前記オペレータの一つ又はそれ以上の指により直接動作される請求項１４記載のレザーアセンブリ。
【請求項１７】
ハンドルと、
前記ハンドル内に摺動可能に搭載されたホルダに取り付けられたレザーカートリッジと、
前記ハンドルに取り付けられた髭剃り補助体であって、前記レザーカートリッジが前記髭剃り補助体に配置された開口内に配置された髭剃り補助体と、
を有し、前記レザーアセンブリが水に浮くレザーアセンブリ。
【請求項１８】
前記ハンドルに関して前記ホルダをガイドする複数のガイド部材をさらに有し、少なくとも一つのガイド部材が前記ハンドルに取り付けられ、少なくとも一つのガイド部材が前記レザーカートリッジホルダに取り付けられ、前記ハンドル及び前記レザーカートリッジホルダに取り付けられたガイド部材が互いに係合する請求項１７記載のレザーアセンブリ。
【請求項１９】
前記ハンドル及び前記レザーカートリッジホルダの間で作用する一つ又はそれ以上のバイアス部材をさらに有し、前記一つ又はそれ以上のバイアス部材は、前記レザーカートリッジホルダ及び前記ハンドルの間の相対的な動きを選択的に防止するために十分な力を提供する請求項１８記載のレザーアセンブリ。
【請求項２０】
前記レザーカートリッジホルダ及び前記ハンドルの間で相対的な動きを生み出すように選択的に操作可能であるアクチュエータをさらに有する請求項１９記載のレザーアセンブリ。
【請求項２１】
前記アクチュエータは、ステムと、前記ステムの第１端部に取り付けられたパッドと、前記ステムの第２端部に取り付けられた一つ又はそれ以上のタブと、前記パッド及び前記ハンドルの間で作用するスプリングとを有し、前記アクチュエータが前記ハンドルに搭載され、前記レザーカートリッジホルダと位置合わせされ、前記アクチュエータはオペレータが前記ハンドルに関して前記レザーカートリッジホルダを動かすことを可能にする請求項２０記載のレザーアセンブリ。
【請求項２２】
前記ハンドルは、前記オペレータの手の指を受けるために十分な大きさの開口を含み、前記アクチュエータは前記開口内に配置される請求項２１記載のレザーアセンブリ。
【請求項２３】
ハンドルを有するレザーアセンブリ用の交換カートリッジであって、
一つ又はそれ以上のレザーブレードを含むレザーカートリッジと、
前記レザーカートリッジに取り付けられ、一つ又はそれ以上のバイアス部材を含み、前記ハンドル内で摺動可能な動きを許容する形状であるホルダと、を有する交換カートリッジ。
【請求項２４】
前記レザーカートリッジは前記ホルダに対して回転可能に取り付けられている請求項２３記載の交換カートリッジ。
【請求項２５】
ハンドルを有するレザーアセンブリ用の交換カートリッジであって、
実質的に髭剃り補助材料からなり、レザーカートリッジを受ける大きさの中央開口と、接触面と、前記レザーアセンブリハンドルに取り付けるための手段とを有する固形髭剃り補助体を有する交換カートリッジ。
【請求項２６】
前記髭剃り補助体は楕円形状である請求項２５記載の交換カートリッジ。
【請求項２７】
前記髭剃り補助体に取り付けられたベースをさらに有する請求項２６記載の交換カートリッジ。
【請求項２８】
内部キャビティ、外表面、並びに前記内部キャビティ及び前記外表面の間に延在する開口を有するハンドルと、
前記キャビティ内で摺動可能に受けられるレザーカートリッジホルダに取り付けられたレザーカートリッジと、
前記ハンドルに取り付けられ、接触面と、前記接触面に配置され、前記レザーカートリッジを受ける大きさの開口とを含む髭剃り補助体と、
を有し、
前記ハンドル内の前記開口は、前記オペレータが前記キャビティ内に一つ又はそれ以上指を挿入することができる大きさであり、それにより前記レザーカートリッジホルダ及びそれに取り付けられたレザーカートリッジを動作するレザーアセンブリ。
【請求項２９】
ハンドルと、
前記ハンドルに摺動可能に搭載され、接触面と、前記接触面内に配置された中央開口とを含む髭剃り補助体と、
前記ハンドルに取り付けられ、前記中央開口内に配置されたレザーカートリッジと、
を有し、
前記髭剃り補助体は、前記レザーカートリッジに関して前記接触面の位置を調節するように選択的に移動可能であるレザーアセンブリ。
【請求項３０】
前記ハンドル及び前記髭剃り補助体の間で作用する一つ又はそれ以上のバイアス部材をさらに有し、前記一つ又はそれ以上のバイアス部材は、前記ハンドル及び前記髭剃り補助体の間の相対的に動きを選択的に防止するために十分な力を提供する請求項２９記載のレザーアセンブリ。
【発明の詳細な説明】
【技術分野】
【０００１】
本発明は、一般の髭剃りデバイスに関し、特に一つ又はそれ以上のレザーブレードに加えて髭剃り補助剤を含む髭剃りデバイスに関する。
【背景技術】
【０００２】
本出願は、２０００年２月１６日に出願された米国特許出願第０９／５０５，４０８号の一部継続出願であり、２００２年９月１３日に出願された米国仮特許出願第６０／４１０，６０９号に開示された必須の主題の利益を請求し、参照により含める。
【０００３】
最近の安全レザーは、ハンドルに回転可能に又は固定的に搭載されたカートリッジ内に配置された複数のレザーブレードを含む。それぞれのレザーブレードは、髭剃り面に近接するカッティングエッジを有する。いくつかの安全レザー（以下、レザーアセンブリともいう）は、再利用可能なハンドルと使用するための使い捨てカートリッジを有する一方、他のものは一体的に使い捨て可能に組み合されたハンドル及びカートリッジを有する。レザーカートリッジはしばしば髭剃りプロセスを増強するためにレザーブレードの後ろに配置された髭剃り補助剤（例えば、潤滑剤、摩擦低減剤、脱毛剤、洗浄剤、薬剤など）から構成された薄いストリップを含む。そのストリップは、レザーブレードに関して位置的に固定されている。ここで使われる語句「前」「後」は、安全レザーの形態間での相対的位置を定義する。例えば、形態「前」のレザーブレードでは、レザーアセンブリがその意図するカッティング方向にストロークされるときに、被髭剃り表面がレザーブレードに接近する前にその形態に接近するように位置決めされる（例えば、レザーブレードの前に通常ガードが配置される）。形態「後」のレザーブレードでは、レザーアセンブリがその意図するカッティング方向にストロークされるときに、被髭剃り表面がレザーブレードに接近した後にその形態に接近するように位置決めされる（例えば、レザーブレードの後ろに配置された前述の髭剃り補助剤ストリップ）。
【０００４】
最も安全なレザーは、髭剃り調整剤とともに使用するように設計されている。髭剃り調整剤（例えば、髭剃りクリーム）が肌に塗られ、髭剃りプロセス中に除去されるか、又はその後洗浄されるまで肌に残る。髭剃り調整剤は望ましく髭剃りプロセスを増強させるが、それに関する望ましくない態様もある。例えば、髭剃りプロセスが完了する前に髭剃りクリームがしばしば洗い落とされるので、髭剃りクリームは、ウェット髭剃り環境において実用的ではない。さらに、ユーザにより購入され保管されなければならないレザーと独立したアイテムである。すなわち、それはバスルームで保管されるさらなるアイテムである。
【０００５】
したがって、上述した問題なしに髭剃り調整剤とともに使用でき、シャワーやウェット環境で使用できるレザーアセンブリが必要とされている。
【発明の開示】
【０００６】
本発明によれば、ハンドルと、レザーカートリッジと、レザーカートリッジホルダと、髭剃り補助体とを含むレザーアセンブリが提供される。髭剃り補助体は、レザーカートリッジを受ける大きさの中央開口を有する楕円体である。髭剃り補助体はハンドルに取り付けられている。レザーカートリッジはレザーカートリッジホルダに取り付けられている。いくつかの実施の形態において、一つ又はそれ以上のバイアス部材は、通常の髭剃り操作においてハンドルに関するレザーカートリッジ及びホルダの相対的な位置（その逆）を維持するように使用される。他の実施の形態において、オペレータ自身が通常の髭剃り操作中にハンドルに関するレザーカートリッジ及びホルダの相対的な位置（その逆）を維持する。
【０００７】
本発明の利点は、本発明で可能である髭剃り補助体に関してレザーカートリッジを調節可能に位置決めするようになる、使い易く安全であることである。通常の髭剃り操作中に、レザーカートリッジは、髭剃り補助体の接触面と実質的に位置合わせされる。いくつかの実施の形態において、アクチュエータが含まれる。アクチュエータは、髭剃り特性を変えるために、又はレザーカートリッジなどを交換するための目的でレザーカートリッジの高さを高くするメカニズムをオペレータに提供する。
【０００８】
本発明の別の利点は、髭剃り補助剤が髭剃りプロセス中に塗布され得ることである。その結果、髭剃り補助体内の髭剃り補助剤は、ウェット髭剃り環境でうまく塗布され、使用され得る。したがって、髭剃りクリームや他の髭剃り調整剤の独立したソースの必要性、及びそれに関係する混乱や煩雑さは除去され得る。
【０００９】
本発明の別の利点はその簡単さである。本発明は、髭剃り補助体の接触面に関するレザーカートリッジの位置を調節し得るデバイスを提供する。それは、簡単で製造コストの効率性のある簡単な機構である。
【００１０】
本発明のこれら並びに他の目的、形態及び利点は、本発明の詳細な説明の見地において明らかになるであろう。
【発明を実施するための最良の形態】
【００１１】
図１から図７を参照して、本発明のレザーアセンブリ１０は、ハンドル１２、レザーカートリッジ１４、レザーカートリッジホルダ１６（図３から図６参照）、及び中央開口２３を有する髭剃り補助体２２を含む。レザーアセンブリのいくつかの実施の形態はさらに、一つ又はそれ以上のガイド部材１８と、一つ又はそれ以上のバイアス部材２０とを含む。レザーアセンブリ１０は、幅２４、長さ２６及び高さ２８を有するように描写され得る。少なくともレザーカートリッジ１４及びレザーカートリッジホルダ１６の部分は、髭剃り補助体２２の中央開口２３内で摺動可能に受けられる。
【００１２】
レザーカートリッジ１４は、フレーム３２に取り付けられた一つ又はそれ以上のレザーブレード３０を含む。それぞれのレザーブレード３０は、長手方向に延在するカッティングエッジ３３を有する。種々のレザーカートリッジ１４が本発明のレザーアセンブリに使用され得る。したがって、レザーアセンブリ１０は、いずれかの特定のレザーカートリッジ１４に限定されない。レザーカートリッジ１４は、レザーカートリッジホルダ１６に取り付けられている。
【００１３】
レザーカートリッジホルダ１６は、上パネル３６から延出した一対の取付ブラケット３４を含む。取付ブラケット３４は、固定的に又は回転可能な様式でホルダ１６にレザーカートリッジ１４を取り付けるように使用可能である形態（雄型及び／又は雌型）を持つ。取付ブラケット３４は、レザーカートリッジホルダ１６にレザーカートリッジ１４を取り付けるように使用され得る種々の取り付け機構の一つを表す。本発明は、いずれかの特定の取り付けに限定されない。
【００１４】
接触面５８を含む髭剃り補助体２２は、髭剃りプロセスを増強する一つ又はそれ以上の髭剃り補助材料（例えば、潤滑剤、摩擦低減剤、脱毛剤、洗浄剤、薬剤など）を含む侵食可能な固形体である。髭剃り補助体２２は、いずれかの特定のタイプの髭剃り補助材料に限定されないが、用途に適合するように選択的に配合され得る。固形石鹸材料は、ウェット髭剃り環境で使用する許容できる髭剃り補助材料の例である。図１から図６において、髭剃り補助体２２は、中央開口２３を有するワンピースの楕円体として示される。別の実施の形態において、髭剃り補助体２２は、レザーカートリッジ１４に隣接して位置決めされた一つ又はそれ以上の部分、例えば前部、後部及び／又は側部を有する。髭剃り補助体２２は、ハンドル１２に取り付けられる。いくつかの実施の形態において、髭剃り補助体２２は、選択的にハンドル１２に取り付け、ハンドル１２から取り外し得る交換可能なカートリッジである。髭剃り補助体２２は、ベース２５に取り付けられ得る（図７参照）。
【００１５】
ハンドル１２は、壁４０、キャビティ４５及び外パネル４４を含む。外パネル４４は、レザーカートリッジホルダ１６を受けるために十分な距離だけ離れている。ハンドル壁４０は、レザーアセンブリ１０の握りを容易にするように、好ましくは人間工学的に形成される、及び／又は人間工学的な形状を生み出す形態５４を有する。ハンドル１２は、壁４０に取り付けられたグリップスリーブ５６を含む。グリップスリーブ５６は、ハンドル１２の握りを容易にするような材料（例えばゴム）及び／又は形態を含む。開口４６は、内パネル４２間で位置合わせされる。
【００１６】
いくつかの実施の形態において、本発明のレザーアセンブリは、一つもしくはそれ以上のバイアス部材２０及び／又は一つもしくはそれ以上のガイド部材１８を含む。一つ又はそれ以上のバイアス部材２０は、ハンドル１２及びレザーカートリッジホルダ１６の一方に取り付けられ、ハンドル１２及びレザーカートリッジホルダ１６の他方に対して作用する。一つ又はそれ以上のガイド部材１８は、ハンドル１２及びレザーカートリッジホルダ１６の間の相対的な移動をガイドするためにハンドル１２又はレザーカートリッジホルダ１６の一つ又は両方に取り付けられる。一つ又はそれ以上のガイド部材１８及び一つ又はそれ以上のバイアス部材２０は、図１から図７に示す実施の形態において以下に記述される。
【００１７】
図３から図５に示す実施の形態において、レザーカートリッジホルダ１６は、一対のガイド部材１８及び一対のバイアス部材２０を含む。ガイド１８は、互いに平行で間隔をおき、上パネル３６に取り付けられている。それぞれのガイド１８はまた、上パネル３６に隣接して配置されたストップタブ３８を含む。バイアス部材２０は、上パネル３６に取り付けられ、上パネル３６から張り出されている。ハンドル１２は、一対の内パネル４２と、壁４０のベース部４８に形成された開口４６とを含む。外パネル４４は、バイアス部材２０を受けるために十分な距離だけ離れている。内パネル４２は、レザーカートリッジホルダ１６のガイド部材１８を受けるために十分な距離だけ離れている。開口５２を有するクロス部材５０は、内パネル４２の間に延在している。
【００１８】
図３から図５に示す実施の形態はさらに、髭剃り補助体２２に関してレザーカートリッジ１４の動きを容易にするためのアクチュエータ６６を含む。アクチュエータ６６は、レザーカートリッジホルダ１６及びハンドル１２の一方を他方に関して動かすために使用可能とする。図３から図５に示すアクチュエータ６６は、ハンドル１２上に搭載され、パッド６８、ステム７０及びスプリング７２を含む。パッド６８は、ステム７０の一端に取り付けられ、一つ又はそれ以上のタブ７４がステム７０の他端に取り付けられている。ステム７０は、内パネル４２の間に延在するクロス部材５０内に形成された開口５２を通して延在する。スプリング７２は、ステム７０を囲繞し、パッド６８及びクロス部材５０の間で作用する。ステム７０に取り付けられた一つ又はそれ以上のタブ７４は、ハンドル１２に結合されたステム７０を保持する。パッド６８は、ハンドル１２のベース部４８内に形成された開口４６内に配置される。アクチュエータ６６が非動作部（図３及び図４参照）にあるとき、パッド６８はほぼハンドル１２の外表面７６に配置され、スプリング７２は圧縮されないか又は僅かに圧縮される。
【００１９】
図６に示す実施の形態において、レザーカートリッジホルダ１６は、上パネル３６の端部に取り付けられた一対のガイド部材１８を含む。ガイド部材１８は、実質的に平行であり、互いに離隔されている。ハンドル内のキャビティ４５は、壁４０のベース部４８に実質的に開いている。外パネル４４は、ガイド部材１８を受けるために十分な距離だけ離れている。図７に示す別の実施の形態において、バイアス部材２０は、ガイド部材１８とともに、あるいはガイド部材１８の代わりに使用され得る。
本発明は、上述した実施の形態のバイアス部材２０に限定されない。例えば、単一のバイアス部材２０又は２以上のバイアス部材２０が使用され得、及び／又はそれぞれのバイアス部材２０はカンチレバー以外の形状で構成され得る。さらに、一つ又はそれ以上のバイアス部材２０は、ハンドル１２に選択的に取り付けられ得、レザーカートリッジホルダ１６上で作用する。
【００２０】
本発明はまた、上述したレザーカートリッジホルダ１６及びハンドル１２構造に限定されない。例えば、図３から図５に示す実施の形態において、外パネル４４及びバイアス部材２０の相対位置と、内パネル４２及びガイド部材１８の相対位置とが確保され得る。例えば、バイアス部材２０は、外パネル４４の外側に配置されても良い。さらに、一つ又はそれ以上のバイアス部材２０のバイアス機能は、他の部材により提供されても良い。例えば、レザーカートリッジホルダ１６及びハンドル１２の外パネル４４は、一方が他方内に受けられるときに僅かに干渉する形で適合されるような大きさであっても良い。
【００２１】
レザーアセンブリ１０が組み立てられるとき、少なくともレザーカートリッジ１４及びレザーカートリッジホルダ１６の部分が髭剃り補助体２２の中央開口２３及びハンドル１２のキャビティ４５内に摺動可能に配置される。図３から図５、図７に示す実施の形態において、レザーカートリッジホルダ１６のバイアス部材２０は、ハンドル１２の外パネル４４に対して作用する。外パネル４４に対して作用するバイアス部材２０の力と表面摩擦係数との積は、通常の髭剃り操作中にレザーカートリッジホルダ１６及びハンドル１２の相対位置を維持する摩擦力になる。すなわち、このバイアス力は、レザーカートリッジホルダ１６及びハンドル１２の間の動きを選択的に防止するために十分である。総摩擦力に抗するに非常に十分である、レザーカートリッジ１４に与えられる力は、レザーカートリッジホルダ１６及びガイド部材１８の間の相対的な動きをもたらし、それにより、位置的な調節を可能とする。図６に示す実施の形態において、レザーカートリッジホルダ１６は、ハンドル１２の外パネル４４の間でバイアスされてなく、結果としてキャビティ４５内で動きが妨げられない。オペレータは、髭剃り補助体に関するレザーカートリッジホルダ及びレザーカートリッジを位置決めする。
【００２２】
図１から図７を参照して、レザーアセンブリ１０の操作中に、レザーカートリッジ１４は、レザーカートリッジ１４内の一つ又はそれ以上のレザーブレード３０のカッティングエッジ３３が髭剃り補助体２２の接触面５８でほぼ同じ平面であるように初期に位置決めされる。使用中に、レザーアセンブリ１０は水に晒され、レザーアセンブリ１０が被髭剃り面に沿って引かれる。髭剃り補助剤２２は結果として侵食し、被髭剃り面に対して、例えば潤滑剤を与える。髭剃り補助体２２がレザーカートリッジ１４を囲繞する楕円体である実施の形態において、髭剃り補助体２２は、ユーザのストローク方向にかかわらず髭剃り補助材料を付着させる。オペレータが髭剃りするとき、髭剃り補助体２２の侵食は高さ（図４参照）の減少を本体２２にもたらす。髭剃り補助体２２の高さの変化に起因するメカニズムがないと、レザーカートリッジ１４はまもなく露出し、とりわけ髭剃り補助体２２により与えられた潤滑機能を妨げるであろう。
【００２３】
本発明のレザーアセンブリ１０は、髭剃り補助体２２及びレザーカートリッジ１４が髭剃り補助体２２の接触面５８とレザーカートリッジ１４のレザーブレード３０との間で元の向きを維持することを有利に可能とする。通常の操作中に、オペレータによりレザーアセンブリ１０に与えられた力は、レザーカートリッジ１４上及び髭剃り補助体２２上に部分的に分散される。いくつかの実施の形態（図３から図５、図７）において、バイアス部材２０及び外パネル４４の間の摩擦力がオペレータによるレザーカートリッジ１４上の力に打ち勝つまで、髭剃り補助体２２はレザーカートリッジ１４の周りで侵食し、力はレザーカートリッジ１４上で増加する。一度、オペレータの力が摩擦力を超えると、レザーカートリッジ１４及びレザーカートリッジホルダ１６は、髭剃り補助体の開口４６内に摺動して動くことにより低下する。髭剃り補助体２２の接触面５８とほぼ同じ平面になるまで、レザーカートリッジ１４が動く。その結果、オペレータの力は、髭剃り補助体２２に再分散され、レザーカートリッジ１４に与えられた力は、バイアス部材２０及び外パネル４４の間の摩擦力より落ちる。したがって、レザーカートリッジホルダ１６及びレザーカートリッジ１４は、ハンドル１２及びそれに取り付けられた髭剃り補助体２２に関して固定位置にくると考えられる。他の実施の形態（図６）において、レザーカートリッジ１４及びレザーカートリッジホルダ１６は、オペレータにより髭剃り補助体２２に関わる場所に保持される。
【００２４】
図３から図５に参照して、結局、オペレータが髭剃り補助体の接触面５８に向けてレザーカートリッジ１４を動かそうとする場合（例えば、髭剃り特性を調節する、又はレザーカートリッジを交換する）、オペレータは、ハンドル１２にアクチュエータパッド６８を押し込む。パッド６８の移動におけるいくつかのポイントで、パッド６８の表面６９は、レザーカートリッジホルダ１６の一つ又は両方の内パネル４２の表面７１に接触する。アクチュエータ６６を押すとさらに、レザーカートリッジホルダ１６及び取り付けられたレザーカートリッジ１４を同じ方向に摺動して移動させる。アクチュエータ６６を十分に押し込むと、レザーカートリッジ１４が少なくとも部分的に接触面５８上の位置に移動され得る。ステム７０周りに搭載されたスプリング７２は、アクチュエータ６６の移動を阻害し、調節の完了までステム７０を非動作位置に戻す。
【００２５】
図６及び図７に示す実施の形態を参照して、オペレータがレザーカートリッジを例えば髭剃り補助体の接触面５８に向けて動かそうとすると、オペレータは、一つ又はそれ以上の指をキャビティ４５に挿入し、レザーカートリッジホルダ１６上に押し上げることによりレザーカートリッジホルダ１６を押し上げる。図７の実施の形態において、バイアス部材２０は、オペレータにより選択された位置にレザーカートリッジホルダ１６及びレザーカートリッジ１４を維持するように操作する。図６の実施の形態において、オペレータは、レザーカートリッジホルダ１６及びレザーカートリッジ１４の位置を維持する。
【００２６】
本レザーカートリッジの実施の形態において、レザーアセンブリは、水内に浮くように組み立てられる。レザーアセンブリの浮力は、浮揚性材料を使用することにより、又は構造内にシールされたボイドを含めることにより、それらの組み合わせにより達成され得る。
【００２７】
レザーカートリッジ１４及びレザーカートリッジホルダ１６は、レザーアセンブリ１０に選択的に取り付け、レザーアセンブリ１０から取り外し得る交換カートリッジとして、又は個別の部品として提供され得る。上述のように、髭剃り補助体２２もハンドル１２に直接取り付ける交換カートリッジとして提供され得る。ハンドリング及び／又はハンドル１２への髭剃り補助体２２の取り付けを容易にするために、実質的に剛性なベースが髭剃り補助体に取り付けられ得る。米国特許出願番号（整理番号ＰＣ２３１７２）はそのようなベースを開示する。その内容は参照によりここに含める。
【００２８】
本発明は詳細な実施の形態に関して示され、記述されるけれども、それらの形態及び詳細の種々の変更が本発明の精神及び範囲を逸脱することなくなし得ることは当業者により理解されるであろう。例えば、本レザーアセンブリは、ハンドルと、ハンドルに取り付けられた髭剃り補助体とに関して移動可能なレザーカートリッジという点で上記に記載されている。別の実施の形態において、レザーアセンブリは、髭剃り補助体が接触面、接触面に配置された中央開口、及び中央開口内に配置されたハンドルに取り付けられたレザーカートリッジを含む、ハンドルに摺動可能に搭載された髭剃り補助体を含んでも良い。髭剃り補助体は、レザーカートリッジに関する接触面の位置を調節するように選択的に移動可能である。いくつかの実施の形態において、レザーアセンブリはさらに、ハンドル及び髭剃り補助体の間で作用する一つ又はそれ以上のバイアス部材を含む。一つ又はそれ以上のバイアス部材は、ハンドル及び髭剃り補助体の間の相対的な移動を選択的に防止するために十分な力を提供する。
【図面の簡単な説明】
【００２９】
【図１】図１は、本発明のレザーアセンブリの側面図である。
【図２】図２は、本発明のレザーアセンブリの上面図である。
【図３】図３は、髭剃り補助体の接触面に近接するレザーカートリッジを有する非動作位置でのアクチュエータを示す、本発明のレザーカートリッジの概略断面図である。
【図４】図４は、髭剃り補助体の接触面より下に配置されたレザーカートリッジを有する非動作位置でのアクチュエータを示す、本発明のレザーカートリッジの概略断面図である。
【図５】図５は、動作位置でのアクチュエータを示す、本発明のレザーアセンブリの概略断面図である。
【図６】図６は、本発明のレザーアセンブリの実施の形態の概略断面図である。
【図７】図７は、本発明のレザーアセンブリの実施の形態の概略断面図である。
【図１】
2006500981.tif 000003
【図２】
2006500981.tif 000004
【図３】
2006500981.tif 000005
【図４】
2006500981.tif 000006
【図５】
2006500981.tif 000007
【図６】
2006500981.tif 000008
【図７】
2006500981.tif 000009
【国際調査報告】
2006500981.tif 000010